(57)【要約】【課題】使用している送信アプリケーションにおいて、お気に入りとなっているが、送信することができない送信先情報は提示することを防止するようにした情報処理装置を提供する。【解決手段】情報処理装置の提示手段は、お気に入りの送信先を提示する指示を受け取った場合は、対象となっている送信アプリケーションにおいてお気に入りとなっている送信先情報を提示する。【選択図】図１
2018018420.tif 000002
【特許請求の範囲】
【請求項１】
お気に入りの送信先を提示する指示を受け取った場合は、対象となっている送信アプリケーションにおいてお気に入りとなっている送信先情報を提示する提示手段
を有する情報処理装置。
【請求項２】
宛先に複数対応している送信先情報のいずれか１つ以上が選択され、お気に入りとして登録する登録手段
をさらに有する請求項１に記載の情報処理装置。
【請求項３】
送信アプリケーションに対して複数の送信用プロトコルが対応している場合、前記提示手段は、対象となっている送信アプリケーションに対応している送信用プロトコルにおいてお気に入りとなっている送信先情報を提示する、
請求項２に記載の情報処理装置。
【請求項４】
１つの送信アプリケーションに対して複数の送信用プロトコルが対応しており、又は、複数の送信アプリケーションに対して１つの送信用プロトコルが対応しており、
宛先に複数対応している送信先情報と送信アプリケーションの組のいずれか１つ以上が選択され、お気に入りとして登録する登録手段
をさらに有する請求項１に記載の情報処理装置。
【請求項５】
画像を受け付ける受付手段と、
画像を送信する送信手段と、
本情報処理装置における宛先表を有しており、
ユーザー毎にお気に入りの送信先を管理する、
請求項１から４のいずれか一項に記載の情報処理装置。
【請求項６】
コンピュータを、
お気に入りの送信先を提示する指示を受け取った場合は、対象となっている送信アプリケーションにおいてお気に入りとなっている送信先情報を提示する提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、個人用のアドレス帳を表示する際の時間を高速化し、操作性を向上する仕組みを提供することを課題とし、情報処理装置であって、前記情報処理装置からデータを送信する際の送信宛先を記憶手段に記憶するとともに、該記憶手段に記憶された複数の送信宛先を、ユーザー毎に個別の複数の第１送信宛先グループと、各ユーザー間で共有の第２送信宛先グループとに分けて管理する管理手段と、前記情報処理装置を操作するユーザーを認証する認証機能が有効であるか否かを判定する判定手段と、前記認証機能が有効である場合にユーザーを認証する認証手段と、前記認証機能が有効である場合には、前記認証手段によって認証されたユーザーに対応する第１送信宛先グループに含まれる送信宛先を表示部に一覧表示し、前記認証機能が無効である場合には前記第２送信宛先グループに含まれる送信宛先を前記表示部に一覧表示する表示制御手段と、新たな送信宛先を登録する際に、前記認証機能が有効である場合には、前記認証手段によって認証されたユーザーに対応する前記第１送信宛先グループ又は前記第２送信宛先グループに前記新たな送信宛先を登録し、前記認証機能が無効である場合には前記第２送信宛先グループに前記新たな送信宛先を登録する登録手段と、を有し、前記登録手段は、前記新たな送信宛先を前記第１送信宛先グループに登録する場合に、さらに、前記認証手段によって認証されたユーザー以外の特定のユーザーに対応する前記第１送信宛先グループにも前記新たな送信宛先を登録することが開示されている。
【０００３】
特許文献２には、画像送信を指示するショートカットキーに対応させて、画像送信先を表す複数の送信先情報を記憶する記憶手段と、前記ショートカットキーを表示する表示手段と、前記ショートカットキーが選択されたことを検知する操作手段と、前記ショートカットキーが選択されたことが前記操作手段によって検知された場合、所定条件を満たせば、選択された前記ショートカットキーに対応させて記憶された複数の前記送信先情報を前記表示手段に表示させる制御手段とを備え、前記操作手段は、前記表示手段に表示された複数の前記送信先情報の中から少なくとも１つの送信先情報を選択する選択操作を受け付け、前記制御手段は、選択された前記送信先情報を、前記ショートカットキーが選択されたことによる画像送信の送信先として決定し、前記選択操作が完了した場合、前記制御手段は、次回前記ショートカットキーが選択された場合に前記選択操作を行うか否かを確認する画面を、前記表示手段に表示させ、前記操作手段が、前記選択操作を行うか否かに関する指示である選択要否を受け付けた場合、前記制御手段は、前記ショートカットキーに対応させて前記選択要否の情報を前記記憶手段に記憶させ、前記所定条件は、前記選択要否が前記選択操作を行う指示である場合に満たされ、前記操作手段が、前記選択操作を行わない指示を受け付けた場合、前記制御手段は、前記ショートカットキーが選択されたときに、選択された前記送信先情報を、画像送信の送信先として決定するための選択情報を、前記ショートカットキーに対応させて前記記憶手段に記憶し、ショートカットキーが選択されたことが前記操作手段によって検知された場合、選択された該ショートカットキーに対応する前記選択要否の情報が、前記選択操作を行わないことを表す情報であれば、前記制御手段は、該ショートカットキーが選択されたことによる画像送信の送信先を、該ショートカットキーに対応する複数の送信先情報の中から、該ショートカットキーに対応する前記選択情報にしたがって決定することを特徴とする画像処理装置について開示されている。
【先行技術文献】
【特許文献】
【０００４】
【特許文献１】特許５８４７５４６号公報
【特許文献２】特許５５４２７５７号公報
【発明の概要】
【発明が解決しようとする課題】
【０００５】
情報を送信する各種の送信アプリケーションがある。操作者は、その送信アプリケーションを用いて送信するにあたって、宛先表からメールアドレス等の送信先情報を選択する必要がある。
ところで、特許文献２に記載の技術では、送信先情報の中から、ショートカットキーに対応する選択情報にしたがって、送信先を決定することが行われている。しかし、送信アプリケーションが利用する送信用プロトコルが複数ある場合、その送信用プロトコルでは使用することができない送信先情報を選択してしまうことがある。
本発明は、使用している送信アプリケーションにおいて、お気に入りとなっているが、送信することができない送信先情報は提示することを防止するようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、お気に入りの送信先を提示する指示を受け取った場合は、対象となっている送信アプリケーションにおいてお気に入りとなっている送信先情報を提示する提示手段を有する情報処理装置である。
【０００７】
請求項２の発明は、宛先に複数対応している送信先情報のいずれか１つ以上が選択され、お気に入りとして登録する登録手段をさらに有する請求項１に記載の情報処理装置である。
【０００８】
請求項３の発明は、送信アプリケーションに対して複数の送信用プロトコルが対応している場合、前記提示手段は、対象となっている送信アプリケーションに対応している送信用プロトコルにおいてお気に入りとなっている送信先情報を提示する、請求項２に記載の情報処理装置である。
【０００９】
請求項４の発明は、１つの送信アプリケーションに対して複数の送信用プロトコルが対応しており、又は、複数の送信アプリケーションに対して１つの送信用プロトコルが対応しており、宛先に複数対応している送信先情報と送信アプリケーションの組のいずれか１つ以上が選択され、お気に入りとして登録する登録手段をさらに有する請求項１に記載の情報処理装置である。
【００１０】
請求項５の発明は、画像を受け付ける受付手段と、画像を送信する送信手段と、本情報処理装置における宛先表を有しており、ユーザー毎にお気に入りの送信先を管理する、請求項１から４のいずれか一項に記載の情報処理装置である。
【００１１】
請求項６の発明は、コンピュータを、お気に入りの送信先を提示する指示を受け取った場合は、対象となっている送信アプリケーションにおいてお気に入りとなっている送信先情報を提示する提示手段として機能させるための情報処理プログラムである。
【発明の効果】
【００１２】
請求項１の情報処理装置によれば、使用している送信アプリケーションにおいて、お気に入りとなっているが、送信することができない送信先情報は提示することが防止される。
【００１３】
請求項２の情報処理装置によれば、宛先に複数対応している送信先情報のいずれか１つ以上が選択され、お気に入りとして登録される。
【００１４】
請求項３の情報処理装置によれば、送信アプリケーションに対して複数の送信用プロトコルが対応している場合、対象となっている送信アプリケーションに対応している送信用プロトコルにおいてお気に入りとなっている送信先を示す情報が提示される。
【００１５】
請求項４の情報処理装置によれば、宛先に複数対応している送信先情報と送信アプリケーションの組のいずれか１つ以上が選択され、お気に入りとして登録される。
【００１６】
請求項５の情報処理装置によれば、本情報処理装置における宛先表を有しており、ユーザー毎にお気に入りの送信先が管理される。
【００１７】
請求項６の情報処理プログラムによれば、使用している送信アプリケーションにおいて、お気に入りとなっているが、送信することができない送信先情報は提示することが防止される。
【図面の簡単な説明】
【００１８】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】宛先テーブルのデータ構造例を示す説明図である。
【図５】本実施の形態による処理例を示すフローチャートである。
【図６】本実施の形態による処理例を示すフローチャートである。
【図７】送信アプリ・基本送信アプリ対応テーブルのデータ構造例を示す説明図である。
【図８】本実施の形態による処理例を示すフローチャートである。
【図９】宛先テーブルのデータ構造例を示す説明図である。
【図１０】ユーザーお気に入り管理テーブルのデータ構造例を示す説明図である。
【図１１】ユーザーお気に入り管理テーブルのデータ構造例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態を実現するコンピュータのハードウェア構成例を示すブロック図である。
【発明を実施するための形態】
【００１９】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２０】
本実施の形態である画像処理装置１００は、画像を送信する各種の送信アプリケーション（以下、送信アプリともいう）を有しており、図１の例に示すように、宛先表管理モジュール１０５、宛先表記憶モジュール１１０、送信モジュール１１５、画像処理モジュール１３５、画像記憶モジュール１４０を有している。
なお、本実施の形態として、画像を送信する画像処理装置１００を例示するが、画像だけでなく、情報（例えば、テキスト情報、音声情報、動画情報等）を送信するものであればよい。
また、送信アプリケーションとして、ファクシミリ送信、電子メール、ファイル転送、マルチセンド、簡単ファックス等がある。したがって、画像処理装置１００は、複数の送信用プロトコル（通信プロトコル）に対応している。例えば、ファクシミリ送信用としてＣＣＩＴＴ−Ｇ４、電子メール送信用としてＳＭＴＰ（Ｓｉｍｐｌｅ  Ｍａｉｌ  Ｔｒａｎｓｆｅｒ  Ｐｒｏｔｏｃｏｌ）、ファイル転送用としてＦＴＰ（Ｆｉｌｅ  Ｔｒａｎｓｆｅｒ  Ｐｒｏｔｏｃｏｌ）、ＳＭＢ（Ｓｅｒｖｅｒ  Ｍｅｓｓａｇｅ  Ｂｌｏｃｋ）等がある。なお、送信アプリケーション、送信用プロトコルは、これらに限定することなく、例えば、ユーザーが定義した送信アプリケーション、クラウドサービスへのアップロード等を含めてもよい。逆に、画像処理装置１００は、複数の送信アプリケーション、複数の送信用プロトコルを利用できればよく、前述したもの全てを利用できなくてもよい。
送信先を示す情報（以下、送信先情報）は、各送信用プロトコルによって定められており、例えば、ファクシミリ送信の場合はファックス番号（電話番号）、電子メールはメールアドレス、ファイル転送（ＦＴＰ、ＳＭＢ）はＩＰアドレスとなる。なお、送信先情報とは、送信先を識別するための情報である。また、宛先情報とは、宛先を識別するための情報であり、例えば、個人名、組織名（例えば、会社名、グループ名等を含む）等がある。また、宛先表（一般的に、アドレス帳ともいわれる）では、宛先情報に、０個以上の送信先情報が対応している。宛先には、複数の送信方法（ファクシミリ送信、電子メール、ファイル転送等）があるのが一般的であるからである。
送信アプリケーションであるマルチセンドは、一度の操作で、種類の異なる送信先情報に同じ情報を送信できる機能を有している。送信先情報として、例えば、ファックス番号、メールアドレス、ＦＴＰ又はＳＭＢにおけるＩＰアドレスを組み合わせて指定ができる。なお、複数の送信先情報が１つの宛先への送信であってもよいし（例えば、同じ人に、電子メール、ファイル転送の両方を行う等）、宛先毎に種類が異なる送信先情報としてもよい（例えば、Ａさん宛てにはファクシミリ送信、Ｂさん宛てには電子メール等）。
また、送信アプリケーションである簡単ファックスは、送信に必要な属性（例えば、画像の解像度等）を予め定めておき（デフォルトであってもよい）、それらの属性設定を省略できるようにしたものである。
最近では宛先表記憶モジュール１１０の容量増加にともなって多数（例えば、数千件等）の宛先を保持できる。しかし、件数の増加に応じて、簡単に所望の宛先を選択することに多くの工夫がなされている。その中で宛先をお気に入りとして登録するという機能がある。お気に入りとして登録することで宛先表を利用する際の最初の画面に、お気に入りとして登録された宛先を提示する。しかし、画像処理装置１００を利用しないで、お気に入りとして登録した場合は、対象となっている送信アプリケーションで対応していない送信先情報を提示してしまうことがある。例えば、ファクシミリ送信を行うのに、お気に入りとして登録されたメールアドレスも提示してしまい、結局、無用な送信先情報が提示されてしまうことになる。
以下では、送信アプリケーションとして、ファクシミリ送信、電子メール、ファイル転送（ＦＴＰ）、ファイル転送（ＳＭＢ）、マルチセンド、簡単ファックスを例示して説明する。
【００２１】
宛先表管理モジュール１０５は、宛先表記憶モジュール１１０と接続されている。宛先表管理モジュール１０５は、宛先表記憶モジュール１１０に記憶されている宛先表を管理する。例えば、宛先表に宛先情報と送信先情報の組を登録する。具体的には、操作者の操作にしたがって、宛先情報と送信先情報が入力されてもよいし、予め作成された宛先表をインポートしてもよい。また、宛先表管理モジュール１０５は、送信先情報に「お気に入り」となっていることを示す情報（例えば、フラグ等）を設定する。また、送信アプリケーションと送信先情報の組に対して、「お気に入り」となっていることを示す情報を設定してもよい。
宛先表記憶モジュール１１０は、宛先表管理モジュール１０５、送信モジュール１１５の宛先選択モジュール１２５と接続されている。宛先表記憶モジュール１１０は、画像処理装置１００における宛先表を記憶している。具体的には、画像処理装置１００における宛先表を１つ記憶しており、ユーザー毎の宛先表はなくてもよい。つまり、画像処理装置１００の操作者は、同じ宛先表を利用することになる。そして、その宛先表内には、お気に入りに関する情報を記憶していてもよい。この場合、その画像処理装置１００におけるお気に入りであって、ユーザー毎のお気に入りではないことになる。宛先表の具体例として、後述する図４の例に示す宛先テーブル４００、図９の例に示す宛先テーブル９００がある。
また、宛先表記憶モジュール１１０は、ユーザー毎にお気に入りの送信先（送信先情報）を管理する管理表を記憶していてもよい。この場合、１つの宛先表でユーザー毎のお気に入りを管理することになる。管理表の具体例として、後述する図１０の例に示すユーザーお気に入り管理テーブル１０００、図１１の例に示すユーザーお気に入り管理テーブル１１００がある。
また、宛先表記憶モジュール１１０は、ユーザー毎の宛先表を記憶してもよい。その宛先表内には、お気に入りに関する情報を記憶していてもよい。この場合、ユーザー毎のお気に入りを管理することになる。
【００２２】
送信モジュール１１５は、送信アプリ選択モジュール１２０、宛先選択モジュール１２５、送信処理モジュール１３０を有している。送信モジュール１１５は、送信に関する処理を行う。
送信アプリ選択モジュール１２０は、操作者の操作にしたがって、送信アプリケーションを選択する。例えば、ファクシミリ送信、電子メール、ファイル転送（ＦＴＰ）、ファイル転送（ＳＭＢ）、マルチセンド、簡単ファックスのいずれかを選択する。
【００２３】
宛先選択モジュール１２５は、宛先表記憶モジュール１１０と接続されている。宛先選択モジュール１２５は、操作者の操作にしたがって、送信先情報を受け付ける。送信先情報をキーボード、タッチパネル等を用いて、操作者が入力してもよいが、宛先表を提示し、その中から送信先情報を選択してもよい。宛先表の提示には、宛先表内の全ての送信先情報を提示対象とすることと、お気に入りの送信先情報を提示対象とすることの２通りがある。
宛先選択モジュール１２５は、お気に入りの送信先を提示する指示を受け取った場合は、対象となっている送信アプリケーションにおいてお気に入りとなっている送信先情報を提示する。お気に入りとなっている送信先情報には、送信アプリ選択モジュール１２０で選択された送信アプリケーションでは送信できない送信先情報が含まれている場合があるので、その送信アプリケーションで送信可能な送信先情報だけを提示対象としている。その後、操作者の操作にしたがって、送信先情報が選択される。
なお、「対象となっている送信アプリケーション」とは、現在、操作者によって選択されている送信アプリケーションである。
また、「お気に入り」として登録された送信先情報とは、操作者が選択しやすいように、お気に入りの送信先を提示する指示を受け取った場合に、提示される送信先情報である。例えば、送信先として頻繁に利用されることが予想される相手（操作者（又は登録を指示した者）の主観で決めたものであってもよい）の送信先情報が、「お気に入り」として登録される。
【００２４】
また、宛先表管理モジュール１０５は、宛先に複数対応している送信先情報のいずれか１つ以上が選択され、お気に入りとして登録するようにしてもよい。もちろんのことながら、お気に入りとしての登録対象は、その選択された送信先情報である。また、この選択は、操作者の操作による選択であってもよいし、予め定められた送信先情報の選択であってもよい。
この場合、宛先選択モジュール１２５は、送信アプリケーションに対して複数の送信用プロトコルが対応している場合、対象となっている送信アプリケーションに対応している送信用プロトコルにおいてお気に入りとなっている送信先情報を提示するようにしてもよい。
また、１つの送信アプリケーションに対して複数の送信用プロトコルが対応しており、又は、複数の送信アプリケーションに対して１つの送信用プロトコルが対応している場合、宛先表管理モジュール１０５は、宛先に複数対応している送信先情報と送信アプリケーションの組のいずれか１つ以上が選択され、お気に入りとして登録するようにしてもよい。ここで「送信先情報と送信アプリケーションの組」は複数ある。選択されるのは、「送信先情報と送信アプリケーションの組」である。そして、お気に入りとしての登録対象は、その選択された「送信先情報と送信アプリケーションの組」である。
また、画像処理装置１００が操作者を認識し、その操作者用の「お気に入り」の送信情報を提示するようにしてもよい。例えば、操作者の認識として、操作者が所持しているＩＣカード内の情報を読み取って認識してもよいし、カメラによって操作者の顔を撮影して、顔認識技術によって操作者を認識してもよいし、操作者の生体情報（例えば、指紋等）を読み取って認識してもよい。
【００２５】
送信処理モジュール１３０は、画像記憶モジュール１４０と接続されている。送信処理モジュール１３０は、宛先選択モジュール１２５によって選択された送信先情報に、送信アプリ選択モジュール１２０で選択された送信アプリケーションによって、画像記憶モジュール１４０内の画像を送信する。
画像処理モジュール１３５は、画像記憶モジュール１４０と接続されている。画像処理モジュール１３５は、画像を受け付け、その画像を画像記憶モジュール１４０に記憶させる。画像を受け付けるとは、例えば、スキャナ等で画像を読み込むこと、ファックス等で通信回線を介して外部機器から画像を受信すること、ハードディスク（コンピュータに内蔵されているものの他に、ネットワークを介して接続されているもの等を含む）等に記憶されている画像を抽出すること等が含まれる。画像は、２値画像、多値画像（カラー画像を含む）であってもよい。記憶する画像は、１枚であってもよいし、複数枚であってもよい。また、画像の内容は限定することなく、ビジネスに用いられる文書、広告宣伝用のパンフレット等であってもよい。
画像記憶モジュール１４０は、送信モジュール１１５の送信処理モジュール１３０、画像処理モジュール１３５と接続されている。画像記憶モジュール１４０は、送信対象となる画像を記憶している。
【００２６】
図２は、本実施の形態を利用したシステム構成例を示す説明図である。
画像処理装置１００、ユーザー端末２１０ａ、ユーザー端末２１０ｂ、共有サーバー（ＦＴＰ）２２０、共有サーバー（ＳＭＢ）２３０、メールサーバー２４０は、通信回線２９０を介してそれぞれ接続されている。通信回線２９０は、無線、有線、これらの組み合わせであってもよく、例えば、通信インフラとしてのインターネット、イントラネット等であってもよい。
例えば、定期的業務として、操作者は、画像処理装置１００で原稿をスキャンし、その画像を自分（ユーザー端末２１０ａ、メールサーバー２４０）と上司であるユーザーＢ（ユーザー端末２１０ｂ、メールサーバー２４０）に電子メールで送信し、また、自分が所属しているＡグループで共有しているフォルダがある共有サーバー（ＦＴＰ）２２０、業務に関連するＢグループで共有しているフォルダがある共有サーバー（ＳＭＢ）２３０にも格納する。この場合、複数の送信用プロトコルを利用するので、個々の送信アプリケーション（電子メール、ファイル転送（ＦＴＰ）、ファイル転送（ＳＭＢ））を利用する場合に比べて、マルチセンドの送信アプリケーションを利用する方が便利である。その場合、お気に入りとして、自分のメールアドレス、ユーザーＢのメールアドレス、共有サーバー（ＦＴＰ）２２０のＩＰアドレス、共有サーバー（ＳＭＢ）２３０のＩＰアドレスがお気に入りとして登録されていれば、そのお気に入りの送信先情報を提示して選択する方が、宛先表内の全部を提示して選択するよりも、探す手間が減ることになる。
【００２７】
図３は、本実施の形態による処理例を示すフローチャートである。この処理は、「お気に入り」登録の処理例である。なお、事前に、宛先情報、送信先情報等は登録されているとする。
ステップＳ３０２では、操作者の操作にしたがって、宛先を受け付ける。
ステップＳ３０４では、その宛先における送信先情報を提示する。
ステップＳ３０６では、操作者の操作にしたがって、送信先毎の「お気に入り」の指定を受け付ける。
ステップＳ３０８では、送信先に対応して「お気に入り」フラグを記憶する。
【００２８】
この処理によって、例えば、宛先テーブル４００が生成される。図４は、宛先テーブル４００のデータ構造例を示す説明図である。宛先テーブル４００は、宛先情報欄４１０、送信先欄４２０、お気に入りフラグ欄４３０を有している。送信先欄４２０は、送信先ＩＤ欄４２２、送信アプリ欄４２４、送信先情報欄４２６を有している。つまり、宛先情報には０個以上（一般的には、複数）の送信先情報が対応している。この宛先テーブル４００では、送信先情報に対して、お気に入りフラグが一対一に対応している。
宛先情報欄４１０は、宛先情報を記憶している。送信先欄４２０は、送信先を記憶している。送信先ＩＤ欄４２２は、本実施の形態において、送信先を一意に識別するための情報（送信先ＩＤ：ＩＤｅｎｔｉｆｉｃａｔｉｏｎ）を記憶している。送信アプリ欄４２４は、送信アプリを記憶している。送信先情報欄４２６は、送信先情報を記憶している。お気に入りフラグ欄４３０は、お気に入りフラグを記憶している。なお、このお気に入りフラグが「ＯＮ」であることが、その送信先情報が「お気に入り」として登録されたことを示している。お気に入りフラグが「ＯＦＦ」である場合は、その送信先情報は「お気に入り」として登録されていないこと（一般の送信先情報であること）を示している。
【００２９】
図５は、本実施の形態による処理例を示すフローチャートである。送信先情報の提示を行う処理例である。特に、送信アプリが、基本送信アプリだけである場合の処理例である。なお、基本送信アプリとは、送信用プロトコルだけにしたがって送信を行う送信アプリである。したがって、基本送信アプリは送信用プロトコルと一対一に対応する。前述の例では、ファクシミリ送信、電子メール、ファイル転送（ＦＴＰ）、ファイル転送（ＳＭＢ）が該当する。
【００３０】
ステップＳ５０２では、操作者の操作にしたがって、宛先の設定を受け付ける。
ステップＳ５０４では、操作者の操作にしたがって、お気に入りの宛先表を提示するか否かを判断し、提示する場合はステップＳ５０６へ進み、それ以外の場合はステップＳ５１２へ進む。
ステップＳ５０６では、現在の送信アプリを抽出する。つまり、どの送信アプリが立ち上がっているかを検出すればよい。
ステップＳ５０８では、その送信アプリにおいて、「お気に入り」となっている送信先情報を抽出する。
ステップＳ５１２では、宛先表内の送信先情報を抽出し、ステップＳ５１０へ進む。
ステップＳ５１０では、送信先情報を提示する。もちろんのことながら、送信先情報だけでなく、宛先情報等を提示してもよい。この後、操作者は、提示された送信先情報を選択する。
【００３１】
図６は、本実施の形態による処理例を示すフローチャートである。送信先情報の提示を行う処理例である。特に、送信アプリが、基本送信アプリだけではない場合の処理例である。前述の例では、基本送信アプリではない送信アプリとしては、マルチセンド、簡単ファックスが該当する。
ステップＳ６０２では、操作者の操作にしたがって、宛先の設定を受け付ける。
ステップＳ６０４では、操作者の操作にしたがって、お気に入りの宛先表を提示するか否かを判断し、提示する場合はステップＳ６０６へ進み、それ以外の場合はステップＳ６１４へ進む。
ステップＳ６０６では、現在の送信アプリを抽出する。つまり、どの送信アプリが立ち上がっているかを検出すればよい。
【００３２】
ステップＳ６０８では、その送信アプリは、基本送信アプリであるか否かを判断し、基本送信アプリの場合はステップＳ６１０へ進み、それ以外の場合はステップＳ６１２へ進む。例えば、送信アプリ・基本送信アプリ対応テーブル７００を利用して判断すればよい。図７は、送信アプリ・基本送信アプリ対応テーブル７００のデータ構造例を示す説明図である。送信アプリ・基本送信アプリ対応テーブル７００は、送信アプリ欄７１０、基本送信アプリ欄７２０を有している。送信アプリ欄７１０は、送信アプリを記憶している。基本送信アプリ欄７２０は、基本送信アプリを記憶している。
例えば、送信アプリとしてのマルチセンドは、基本送信アプリとして、ファクシミリ送信、電子メール、ファイル転送（ＦＴＰ）、ファイル転送（ＳＭＢ）を含んでおり、送信アプリとしての簡単ＦＡＸは、基本送信アプリとして、ファクシミリ送信を含んでおり、送信アプリとしてのユーザー定義アプリＡは、基本送信アプリとして、電子メール、ファイル転送（ＦＴＰ）を含んでいる。
【００３３】
ステップＳ６１０では、その送信アプリにおいて、「お気に入り」となっている送信先情報を抽出する。
ステップＳ６１２では、その送信アプリを構成している基本送信アプリにおいて、「お気に入り」となっている送信先情報を抽出し、ステップＳ６１６へ進む。
ステップＳ６１４では、宛先表内の送信先情報を抽出し、ステップＳ６１６へ進む。
ステップＳ６１６では、送信先情報を提示する。もちろんのことながら、送信先情報だけでなく、宛先情報等を提示してもよい。この後、操作者は、提示された送信先情報を選択する。
【００３４】
図８は、本実施の形態による処理例を示すフローチャートである。この処理は、「お気に入り」登録の処理例である。なお、事前に、宛先情報、送信先情報等は登録されているとする。
ステップＳ８０２では、操作者の操作にしたがって、宛先を受け付ける。
ステップＳ８０４では、その宛先における送信先情報を提示する。
ステップＳ８０６では、操作者の操作にしたがって、送信アプリ毎の「お気に入り」の指定を受け付ける。
ステップＳ８０８では、送信アプリ毎の送信先に対応して「お気に入り」フラグを記憶させる。
【００３５】
この処理によって、例えば、宛先テーブル９００が生成される。図９は、宛先テーブル９００のデータ構造例を示す説明図である。図９の例に示す宛先テーブル９００は、図４の例に示す宛先テーブル４００にマルチセンドお気に入りフラグ欄９４０、簡単ファックスお気に入りフラグ欄９５０を付加したものである。宛先テーブル９００は、宛先情報欄９１０、送信先欄９２０、お気に入りフラグ欄９３０、マルチセンドお気に入りフラグ欄９４０、簡単ファックスお気に入りフラグ欄９５０を有している。送信先欄９２０は、送信先ＩＤ欄９２２、送信アプリ欄９２４、送信先情報欄９２６を有している。マルチセンドお気に入りフラグ欄９４０は、マルチセンドにおけるお気に入りフラグを記憶している。簡単ファックスお気に入りフラグ欄９５０は、簡単ファックスにおけるお気に入りフラグを記憶している。つまり、マルチセンドお気に入りフラグ欄９４０、簡単ファックスお気に入りフラグ欄９５０によって、基本送信アプリではない送信アプリにおけるお気に入りが登録されている。なお、マルチセンドお気に入りフラグ欄９４０、簡単ファックスお気に入りフラグ欄９５０におけるお気に入りフラグが「ＯＮ」であることが、その送信アプリケーションにおける送信先情報が「お気に入り」として登録されたことを示している。お気に入りフラグが「ＯＦＦ」である場合は、その送信アプリケーションにおける送信先情報は「お気に入り」として登録されていないこと（一般の送信先情報であること）を示している。
送信アプリが、基本送信アプリだけではない場合であっても、この宛先テーブル９００を用いれば、図５の例で示したフローチャートを用いて処理を行うことができる。
【００３６】
また、ユーザーお気に入り管理テーブル１０００又はユーザーお気に入り管理テーブル１１００を用いることによって、図５、図６の例に示したフローチャートによって処理を行う場合であっても、ユーザー毎にお気に入りを提示することができる。
図１０は、ユーザーお気に入り管理テーブル１０００のデータ構造例を示す説明図である。ユーザーお気に入り管理テーブル１０００は、ユーザー欄１０１０、お気に入り送信先ＩＤ欄１０２０を有している。ユーザー欄１０１０は、ユーザー（ユーザーＩＤ等）を記憶している。お気に入り送信先ＩＤ欄１０２０は、そのユーザーのお気に入りの送信先ＩＤ（宛先テーブル４００の送信先ＩＤ欄４２２、宛先テーブル９００の送信先ＩＤ欄９２２）を記憶している。
図１１は、ユーザーお気に入り管理テーブル１１００のデータ構造例を示す説明図である。ユーザーお気に入り管理テーブル１１００は、ユーザー欄１１１０、お気に入り送信先情報欄１１２０を有している。ユーザー欄１１１０は、ユーザー（ユーザーＩＤ等）を記憶している。お気に入り送信先情報欄１１２０は、そのユーザーのお気に入りの送信先情報を記憶している。
つまり、ユーザーお気に入り管理テーブル１０００は、送信先情報へのリンクを記憶しており、ユーザーお気に入り管理テーブル１１００は、送信先情報そのものを記憶している。
画像処理装置１００にログインしている操作者のユーザーＩＤから、ユーザーお気に入り管理テーブル１０００又はユーザーお気に入り管理テーブル１１００を用いて、そのユーザーＩＤに対応する「お気に入り」となっている送信先情報を抽出すればよい。
【００３７】
図１２は、本実施の形態による処理例を示す説明図である。宛先情報、送信先情報等の登録処理の際に、宛先設定画面１２００を提示し、操作者の操作によって、「お気に入り」が設定される。宛先設定画面１２００は、宛先テーブル４００を生成するためのものである。
宛先設定画面１２００には、宛先欄１２１０、宛先写真表示領域１２１５、名欄１２２０、姓欄１２２５、所属欄１２３０、Ｅ−ｍａｉｌ欄１２３５、Ｆａｘ欄１２５５、ＳＭＢ欄１２７５、ＦＴＰ欄１２８０、削除ボタン１２８５、キャンセルボタン１２９０、ＯＫボタン１２９５を表示する。ここでは「Ｆｕｊｉ  Ｔａｒｏ」を宛先として、電子メールアドレスとファックス番号が送信先情報として登録されている。もちろんのことながら、ＳＭＢ欄１２７５、ＦＴＰ欄１２８０内の「＋」が選択されることによって、ファイル転送（ＳＭＢ）とファイル転送（ＦＴＰ）におけるＩＰアドレス、「お気に入り」を登録できる。
Ｅ−ｍａｉｌ欄１２３５には、アドレス欄１２４０、お気に入り指定ボタン１２４５、削除ボタン１２５０を表示する。操作者の操作によって、お気に入り指定ボタン１２４５が選択された場合、アドレス欄１２４０内に記載された電子メールアドレスが「お気に入り」として登録される。
Ｆａｘ欄１２５５には、Ｆａｘ番号欄１２６０、お気に入り指定ボタン１２６５、削除ボタン１２７０を表示する。操作者の操作によって、お気に入り指定ボタン１２６５が選択された場合、Ｆａｘ番号欄１２６０内に記載されたファックス番号が「お気に入り」として登録される。
削除ボタン１２８５が選択された場合は、その宛先設定画面１２００内の宛先情報等を削除する。キャンセルボタン１２９０が選択された場合は、宛先設定画面１２００を表示した後の入力を取り消す。ＯＫボタン１２９５が選択された場合は、その宛先設定画面１２００内の宛先情報等を宛先テーブル４００に格納する。
【００３８】
図１３は、本実施の形態による処理例を示す説明図である。宛先情報、送信先情報等の登録処理の際に、宛先設定画面１３００を提示し、操作者の操作によって、「お気に入り」が設定される。宛先設定画面１３００は、宛先テーブル９００を生成するためのものである。
宛先設定画面１３００は、図１２の例に示した宛先設定画面１２００にマルチセンド欄１３１０、簡単ＦＡＸ欄１３３０を付加したものである。
宛先設定画面１３００には、宛先欄１２１０、宛先写真表示領域１２１５、名欄１２２０、姓欄１２２５、所属欄１２３０、Ｅ−ｍａｉｌ欄１２３５、Ｆａｘ欄１２５５、ＳＭＢ欄１２７５、ＦＴＰ欄１２８０、マルチセンド欄１３１０、簡単ＦＡＸ欄１３３０、削除ボタン１２８５、キャンセルボタン１２９０、ＯＫボタン１２９５を表示する。ここでは「Ｆｕｊｉ  Ｔａｒｏ」を宛先として、電子メールアドレスとファックス番号とマルチセンドにおけるファックス番号等と簡単ファックスにおけるファックス番号が送信先情報として登録されている。
マルチセンド欄１３１０には、Ｆａｘ番号欄１３１５、お気に入り指定ボタン１３１７、削除ボタン１３１９、アドレス欄１３２０、お気に入り指定ボタン１３２２、削除ボタン１３２４、ＦＴＰ欄１３２５、お気に入り指定ボタン１３２７、削除ボタン１３２９を表示する。操作者の操作によって、お気に入り指定ボタン１３１７が選択された場合、Ｆａｘ番号欄１３１５内に記載されたファックス番号がマルチセンドにおける「お気に入り」として登録される。同様に、お気に入り指定ボタン１３２２が選択された場合、アドレス欄１３２０内に記載された電子メールアドレスがマルチセンドにおける「お気に入り」として登録される。お気に入り指定ボタン１３２７が選択された場合、ＦＴＰ欄１３２５内に記載されたＦＴＰにおけるＩＰアドレスがマルチセンドにおける「お気に入り」として登録される。
簡単ＦＡＸ欄１３３０には、Ｆａｘ番号欄１３３５、お気に入り指定ボタン１３４０、削除ボタン１３４５を表示する。操作者の操作によって、お気に入り指定ボタン１３４０が選択された場合、Ｆａｘ番号欄１３３５内に記載されたファックス番号が簡単ファックスにおける「お気に入り」として登録される。
なお、ＯＫボタン１２９５が選択された場合は、その宛先設定画面１３００内の宛先情報等を宛先テーブル９００に格納する。
【００３９】
図１４は、本実施の形態による処理例を示す説明図である。
図１４（ａ）の例に示す送信先指定画面１４００は、ファクシミリ送信の送信アプリを立ち上げた場合の提示例を示すものである。
送信先指定画面１４００には、送信アプリ表示欄（Ｆａｘ）１４１０、送信先指定欄１４２０、宛先表ボタン１４３０を表示する。送信先指定欄１４２０内にファックス番号を入力するが、宛先表ボタン１４３０を選択することによって、宛先表を提示して、送信先情報の一覧を提示させ、その中からファックス番号を選択するようにしてもよい。
【００４０】
図１４（ｂ）の例に示す宛先表表示画面１４５０は、宛先表ボタン１４３０が選択されることによって提示するものである。
宛先表表示画面１４５０には、「お気に入り」タグ１４５５、宛先表タグ１４６０、検索ボタン１４６５、宛先表示領域１４７０、チェックボックス１４７５を表示する。
宛先表ボタン１４３０が選択された場合、「お気に入り」タグ１４５５が選択された状態で、宛先表表示画面１４５０を提示する。つまり、宛先表示領域１４７０内には、ファクシミリ送信における「お気に入り」となっているファックス番号等を提示する。そして、チェックボックス１４７５が選択された場合、そのファックス番号が送信先指定欄１４２０に入力される。また、「お気に入り」がユーザー毎に管理されている場合は、宛先表示領域１４７０にそのユーザーにおける「お気に入り」のファックス番号等を提示する。
また、宛先表タグ１４６０が選択された場合、宛先表示領域１４７０内には、宛先表記憶モジュール１１０内に記憶されている全てのファックス番号等を提示する。もちろんのことながら、「お気に入り」タグ１４５５が選択された場合よりも多くのファックス番号等が提示されることになる。なお、検索ボタン１４６５が選択された場合は、検索用の欄を表示し、宛先表記憶モジュール１１０内の宛先テーブル４００又は宛先テーブル９００を検索することが可能となる。
【００４１】
図１５を参照して、本実施の形態の情報処理装置のハードウェア構成例について説明する。図１５に示す構成は、例えばパーソナルコンピュータ（ＰＣ）等によって構成されるものであり、スキャナ等のデータ読み取り部１５１７と、プリンタ等のデータ出力部１５１８を備えたハードウェア構成例を示している。
【００４２】
ＣＰＵ（Ｃｅｎｔｒａｌ  Ｐｒｏｃｅｓｓｉｎｇ  Ｕｎｉｔ）１５０１は、前述の実施の形態において説明した各種のモジュール、すなわち、宛先表管理モジュール１０５、送信モジュール１１５、送信アプリ選択モジュール１２０、宛先選択モジュール１２５、送信処理モジュール１３０、画像処理モジュール１３５等の各モジュールの実行シーケンスを記述したコンピュータ・プログラムにしたがった処理を実行する制御部である。
【００４３】
ＲＯＭ（Ｒｅａｄ  Ｏｎｌｙ  Ｍｅｍｏｒｙ）１５０２は、ＣＰＵ１５０１が使用するプログラムや演算パラメータ等を格納する。ＲＡＭ（Ｒａｎｄｏｍ  Ａｃｃｅｓｓ  Ｍｅｍｏｒｙ）１５０３は、ＣＰＵ１５０１の実行において使用するプログラムや、その実行において適宜変化するパラメータ等を格納する。これらはＣＰＵバス等から構成されるホストバス１５０４により相互に接続されている。
【００４４】
ホストバス１５０４は、ブリッジ１５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１５０６に接続されている。
【００４５】
キーボード１５０８、マウス等のポインティングデバイス１５０９は、操作者により操作されるデバイスである。ディスプレイ１５１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１５０９とディスプレイ１５１０の両方の機能を備えているタッチスクリーン等であってもよい。
【００４６】
ＨＤＤ（Ｈａｒｄ  Ｄｉｓｋ  Ｄｒｉｖｅ）１５１１は、ハードディスク（フラッシュ・メモリ等であってもよい）を内蔵し、ハードディスクを駆動し、ＣＰＵ１５０１によって実行するプログラムや情報を記録又は再生させる。ハードディスクには、宛先表記憶モジュール１１０、画像記憶モジュール１４０等としての機能を実現させる。さらに、その他の各種データ、各種コンピュータ・プログラム等が格納される。
【００４７】
ドライブ１５１２は、装着されている磁気ディスク、光ディスク、光磁気ディスク、又は半導体メモリ等のリムーバブル記録媒体１５１３に記録されているデータ又はプログラムを読み出して、そのデータ又はプログラムを、インタフェース１５０７、外部バス１５０６、ブリッジ１５０５、及びホストバス１５０４を介して接続されているＲＡＭ１５０３に供給する。なお、リムーバブル記録媒体１５１３も、データ記録領域として利用可能である。
【００４８】
接続ポート１５１４は、外部接続機器１５１５を接続するポートであり、ＵＳＢ、ＩＥＥＥ１３９４等の接続部を持つ。接続ポート１５１４は、インタフェース１５０７、及び外部バス１５０６、ブリッジ１５０５、ホストバス１５０４等を介してＣＰＵ１５０１等に接続されている。通信部１５１６は、通信回線に接続され、外部とのデータ通信処理を実行する。データ読み取り部１５１７は、例えばスキャナであり、ドキュメントの読み取り処理を実行する。データ出力部１５１８は、例えばプリンタであり、ドキュメントデータの出力処理を実行する。
【００４９】
なお、図１５に示す情報処理装置のハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００５０】
なお、前述の実施の形態において、「提示」としたものは、ディスプレイ等の表示装置への表示の他に、プリンタ等の印刷装置での印刷、スピーカー等の音声出力装置への音声の出力等があり、それらの組み合わせであってもよい。
【００５１】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００５２】
１００…画像処理装置
１０５…宛先表管理モジュール
１１０…宛先表記憶モジュール
１１５…送信モジュール
１２０…送信アプリ選択モジュール
１２５…宛先選択モジュール
１３０…送信処理モジュール
１３５…画像処理モジュール
１４０…画像記憶モジュール
２１０…ユーザー端末
２２０…共有サーバー（ＦＴＰ）
２３０…共有サーバー（ＳＭＢ）
２４０…メールサーバー
２９０…通信回線
【図１】
2018018420.tif 000003
【図２】
2018018420.tif 000004
【図３】
2018018420.tif 000005
【図４】
2018018420.tif 000006
【図５】
2018018420.tif 000007
【図６】
2018018420.tif 000008
【図７】
2018018420.tif 000009
【図８】
2018018420.tif 000010
【図９】
2018018420.tif 000011
【図１０】
2018018420.tif 000012
【図１１】
2018018420.tif 000013
【図１２】
2018018420.tif 000014
【図１３】
2018018420.tif 000015
【図１４】
2018018420.tif 000016
【図１５】
2018018420.tif 000017